Podtech/llm-jp-corpus-v4-ja_patent huggingface dataset:
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  少なくとも一部が湾曲部において湾曲され、所定の配線用パターンを有する両面フレキシブル基板において、
補強用カバーレイと、
上記基板の両面間のパターン同士を導通させる第１のスルーホールと、
を具備し、
上記湾曲部に結線上無効な第２のスルーホールを形成したことを特徴とする両面フレキシブル基板。
【請求項２】  少なくとも一部が湾曲部において湾曲され、配線用パターンを有する両面フレキシブル基板を有するカメラにおいて、
上記両面フレキシブル基板は、補強用カバーレイと、上記基板の両面間のパターン同士を導通させる第１のスルーホールと、を具備し、
上記湾曲部に結線上無効な第２のスルーホールが形成されていることを特徴とする両面フレキシブル基板を有するカメラ。
【手続補正２】
【補正対象書類名】明細書
【補正対象項目名】０００８
【補正方法】変更
【補正の内容】
【０００８】
【課題を解決するための手段】
上記課題を解決し目的を達成する為、本発明では次のような手段を講じている。第１の発明によれば、少なくとも一部が湾曲部において湾曲され、所定の配線用パターンを有する両面フレキシブル基板において、補強用カバーレイと、上記基板の両面間のパターン同士を導通させる第１のスルーホールと、を具備し、上記湾曲部に結線上無効な第２のスルーホールを形成した両面フレキシブル基板を提案する。
【手続補正３】
【補正対象書類名】明細書
【補正対象項目名】０００９
【補正方法】変更
【補正の内容】
【０００９】
また第２の発明によれば、少なくとも一部が湾曲部において湾曲され、配線用パターンを有する両面フレキシブル基板を有するカメラにおいて、上記両面フレキシブル基板は、補強用カバーレイと、上記基板の両面間のパターン同士を導通させる第１のスルーホールと、を具備し、上記湾曲部に結線上無効な第２のスルーホールが形成されていることを特徴とする両面フレキシブル基板を有するカメラを提案する。
【手続補正書】
【提出日】平成20年3月19日(2008.3.19)
【手続補正１】
【補正対象書類名】明細書
【補正対象項目名】００３７
【補正方法】変更
【補正の内容】
【００３７】
基板Ｗを洗浄したならば、回転体１１を１０００ｒ．ｐ．ｍ以上の高速度で回転させるとともに、基板Ｗの上面にクリーンユニットから乾燥気体を供給し、下面は第１のノズル体３３から基板Ｗの中心部分に向けて気体を噴射する。基板Ｗの上下面に気体を噴射することで、基板Ｗの中心部分に付着した洗浄液が中心部分から径方向外方へ押されるとともに、中心部分から押し流された洗浄液及び基板Ｗの中心部分以外の箇所の洗浄液は、基板Ｗが高速回転することで発生する遠心力によって基板Ｗの周縁部から飛散する。
【手続補正２】
【補正対象書類名】明細書
【補正対象項目名】００５０
【補正方法】変更
【補正の内容】
【００５０】
しかも、乱流防止カバー３５の少なくとも対向壁部３６を撥水性を有する樹脂で形成したことによっても、液滴Ｐが対向壁部３６から離れて円滑に排出され易い。
【手続補正書】
【提出日】平成20年3月3日(2008.3.3)
【手続補正１】
【補正対象書類名】明細書
【補正対象項目名】特許請求の範囲
【補正方法】変更
【補正の内容】
【特許請求の範囲】
【請求項１】
絶縁表面上に形成された複数のＴＦＴと、
前記複数のＴＦＴと電気的に接続された複数の陰極と、
前記複数の陰極間に形成されたバンクと、
前記陰極上に形成された有機化合物層と、
前記バンク及び前記有機化合物層上に形成された陽極とを有する発光装置であって、
前記バンクは、絶縁膜上に導電膜が積層された構造を有することを特徴とする発光装置。
【請求項２】
絶縁表面上に形成されたＴＦＴと、
前記ＴＦＴと電気的に接続された陰極と、
前記陰極の端部に接して形成されたバンクと、
前記陰極上に形成された有機化合物層と、
前記バンク及び前記有機化合物層上に形成された陽極とを有する発光装置であって、
前記バンクは、絶縁膜上に導電膜が積層された構造を有することを特徴とする発光装置。
【請求項３】
請求項１または請求項２において、前記バンク及び前記有機化合物層上に形成される前記陽極は、同一の膜からなることを特徴とする発光装置。
【請求項４】
請求項１乃至請求項３のいずれか一において、前記陽極は透明導電膜からなることを特徴とする発光装置。
【請求項５】
請求項１乃至請求項４のいずれか一において、前記絶縁膜とは、無機材料からなることを特徴とする発光装置。
【請求項６】
請求項５において、前記無機材料とは、酸化珪素、窒化珪素及び酸化窒化珪素からなることを特徴とする発光装置。
【請求項７】
請求項１乃至請求項６のいずれか一において、前記導電膜とは、シート抵抗値が０．０１〜１Ω／□である導電性材料からなることを特徴とする発光装置。
【請求項８】
請求項１乃至請求項７のいずれか一において、前記導電膜とは、チタン、アルミニウム、タンタル、タングステン、クロム、銅、銀、またはこれらを含む合金からなることを特徴とする発光装置。
【請求項９】
請求項１乃至請求項８のいずれか一に記載の発光装置を用いたことを特徴とする電気器具。
【請求項１０】
絶縁表面上に複数のＴＦＴを形成し、
前記複数のＴＦＴと電気的に接続された複数の陰極を形成し、
前記複数の陰極間にバンクを形成し、
前記陰極上に有機化合物層を形成し、
前記バンク及び前記有機化合物層上に陽極を形成する発光装置の作製方法であって、
前記バンクは、絶縁膜上に導電膜を積層して形成することを特徴とする発光装置の作製方法。
【請求項１１】
絶縁表面上にＴＦＴを形成し、
前記ＴＦＴと電気的に接続された陰極を形成し、
前記陰極の端部に接してバンクを形成し、
前記陰極上に有機化合物層を形成し、
前記バンク及び前記有機化合物層上に陽極を形成する発光装置の作製方法であって、
前記バンクは、絶縁膜上に導電膜を積層して形成することを特徴とする発光装置の作製方法。
【請求項１２】
請求項１０または請求項１１において、前記バンク及び前記有機化合物層上に、前記陽極を同一の膜で形成することを特徴とする発光装置の作製方法。
【請求項１３】
請求項１０乃至請求項１２のいずれか一において、前記陽極は、透明導電膜からなることを特徴とする発光装置の作製方法。
【請求項１４】
請求項１０乃至請求項１３のいずれか一において、前記絶縁膜は、無機材料からなることを特徴とする発光装置の作製方法。
【請求項１５】
請求項１４において、前記無機材料は、酸化珪素、窒化珪素及び酸化窒化珪素からなることを特徴とする発光装置の作製方法。
【請求項１６】
請求項１０乃至請求項１５のいずれか一において、前記導電膜は、シート抵抗値が０．０１〜１Ω／□の導電性材料であることを特徴とする発光装置の作製方法。
【請求項１７】
請求項１０乃至請求項１６のいずれか一において、前記導電膜は、チタン、アルミニウム、タンタル、タングステン、クロム、銅、銀、またはこれらを含む合金からなることを特徴とする発光装置の作製方法。
【手続補正書】
【提出日】平成20年2月18日(2008.2.18)
【手続補正１】
【補正対象書類名】明細書
【補正対象項目名】発明の名称
【補正方法】変更
【補正の内容】
【発明の名称】発光装置の作製方法
【手続補正２】
【補正対象書類名】明細書
【補正対象項目名】特許請求の範囲
【補正方法】変更
【補正の内容】
【特許請求の範囲】
【請求項１】
ソース領域及びドレイン領域を有する薄膜トランジスタの前記ソース領域及びドレイン領域上に層間絶縁膜を形成し、
前記層間絶縁膜に前記ドレイン領域に達する開口部を形成した後、ドレイン電極を形成し、
前記層間絶縁膜上に前記ドレイン電極と接続する第１の電極を形成し、
前記第１の電極を覆う絶縁層を形成した後、前記第１の電極上において開口部を形成して、第１の絶縁層を設け、
前記第１の電極の表面を多孔質体を用いて拭い、
前記第１の電極及び前記第１の絶縁層上に、酸化シリコン、窒化シリコン、酸窒化シリコンから選ばれた一種又は複数種から成る第２の絶縁層を１ｎｍ以上１０ｎｍ以下の厚さで形成し、
前記第２の絶縁層上に有機化合物層を形成し、
前記有機化合物層上に第２の電極を形成することを特徴とする発光装置の作製方法。
【請求項２】
ソース領域及びドレイン領域を有する薄膜トランジスタの前記ソース領域及びドレイン領域上に層間絶縁膜を形成し、
前記層間絶縁膜に前記ドレイン領域に達する開口部を形成した後、ドレイン電極を形成し、
前記層間絶縁膜上に前記ドレイン電極と接続する第１の電極を形成し、
前記第１の電極を覆う絶縁層を形成した後、前記第１の電極上において開口部を形成して、第１の絶縁層を設け、
前記第１の電極の表面を多孔質体を用いて拭い、
前記第１の電極及び前記第１の絶縁層上に、ＤＬＣからなる第２の絶縁層を１ｎｍ以上１０ｎｍ以下の厚さで形成し、
前記第２の絶縁層上に有機化合物層を形成し、
前記有機化合物層上に第２の電極を形成することを特徴とする発光装置の作製方法。
【請求項３】
ソース領域及びドレイン領域を有する薄膜トランジスタの前記ソース領域及びドレイン領域上に層間絶縁膜を形成し、
前記層間絶縁膜に前記ドレイン領域に達する開口部を形成した後、ドレイン電極および第１接続端子を形成し、
前記層間絶縁膜上に前記ドレイン電極と接続する第１の電極および前記第１接続端子と接続する第２接続端子を形成し、
前記第１の電極および前記第２接続端子を覆う第１の絶縁層を形成した後、前記第１の電極上および第２の接続端子上において開口部を形成し、
前記第１の電極の表面を多孔質体を用いて拭い、
前記第１の電極及び前記第１の絶縁層上に、酸化シリコン、窒化シリコン、酸窒化シリコンから選ばれた一種又は複数種から成る第２の絶縁層を１ｎｍ以上１０ｎｍ以下の厚さで形成し、
前記第２の絶縁層上に有機化合物層を形成し、
前記有機化合物層上に第２の電極を形成することを特徴とする発光装置の作製方法。
【請求項４】
ソース領域及びドレイン領域を有する薄膜トランジスタの前記ソース領域及びドレイン領域上に層間絶縁膜を形成し、
前記層間絶縁膜に前記ドレイン領域に達する開口部を形成した後、ドレイン電極および第１接続端子を形成し、
前記層間絶縁膜上に前記ドレイン電極と接続する第１の電極および前記第１接続端子と接続する第２接続端子を形成し、
前記第１の電極および前記第２接続端子を覆う第１の絶縁層を形成した後、前記第１の電極上および第２の接続端子上において開口部を形成し、
前記第１の電極の表面を多孔質体を用いて拭い、
前記第１の電極及び前記第１の絶縁層上に、ＤＬＣからなる第２の絶縁層を１ｎｍ以上１０ｎｍ以下の厚さで形成し、
前記第２の絶縁層上に有機化合物層を形成し、
前記有機化合物層上に第２の電極を形成することを特徴とする発光装置の作製方法。
【請求項５】
請求項１乃至請求項４のいずれか一項において、
前記多孔質体はポリビニルアルコール系のものであることを特徴とする発光装置の作製方法。
【請求項６】
請求項１乃至請求項５のいずれか一項において、
前記第１の電極表面を多孔質体を用いて拭う工程は、押し込み値は０．１〜１．０ｍｍとすることを特徴とする発光装置の作製方法。
【請求項７】
請求項１乃至請求項６のいずれか一項において、
前記第１の電極になる導電膜を形成後に、前記導電膜をＣＭＰ研磨することを特徴とする発光装置の作製方法。
【請求項８】
請求項１乃至請求項７のいずれか一項において、
前記層間絶縁膜はポリイミド又はアクリルで形成することを特徴とする発光装置の作製方法。
【請求項９】
請求項１乃至請求項７のいずれか一項において、
前記層間絶縁膜はポリイミド又はアクリルから成る第１の層と、窒化シリコン又は酸窒化シリコンから成る第２の層とで形成することを特徴とする発光装置の作製方法。
【請求項１０】
請求項１乃至請求項９のいずれか一項において、
前記第１の絶縁層は、ポリイミド又はアクリルで形成することを特徴とする発光装置の作製方法。
【請求項１１】
請求項１乃至請求項１０のいずれか一項において、
前記第２の絶縁層は、プラズマＣＶＤ法又はスパッタ法で形成することを特徴とする発光装置の作製方法。
【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】  端子台の被嵌合孔に端子ピンを嵌合保持する電子機器の端子構造において、前記端子ピンは複数の異なる形状のものが用意されていると共に、前記各端子ピンは前記被嵌合孔に嵌合する嵌合部が同一形状に形成されることを特徴とする電子機器の端子構造。
【請求項２】  前記嵌合部の外面を凹凸状に形成したことを特徴とする請求項１記載の電子機器の端子構造。
【請求項３】  前記端子ピンは基端部と先端部を有し、これら基端部と先端部は前記嵌合部より細いことを特徴とする請求項１又は２記載の電子機器の端子構造。
【手続補正２】
【補正対象書類名】明細書
【補正対象項目名】０００９
【補正方法】変更
【補正の内容】
【０００９】
このようにすると、被嵌合孔との固着性が高まり、各端子ピンにおける引張強度を向上させることができる。
本発明の請求項３における電子機器の端子構造は、請求項１又は２の構成に加えて前記端子ピンは基端部と先端部を有し、これら基端部と先端部は前記嵌合部より細いものである。
【手続補正３】
【補正対象書類名】明細書
【補正対象項目名】００１９
【補正方法】変更
【補正の内容】
【００１９】
また、各端子ピン６Ａ，６Ｂにおいて圧入部22の外面を凹凸状に形成したことから、被圧入孔31との固着性が高まり、各端子ピン６Ａ，６Ｂにおける引張強度を向上させることができる。
また、端子ピン６Ｂは基端部21と先端部23を有し、これら基端部21と先端部23は圧入部22より細いから、基端部21と先端部23は用途に応じて様々なバリエーションがあるものの、端子台７の被圧入孔31に圧入する圧入部22の直径は、全ての種類で共通している。
【手続補正４】
【補正対象書類名】明細書
【補正対象項目名】００２８
【補正方法】変更
【補正の内容】
【００２８】
本発明の請求項２における電子機器の端子構造によれば、各端子ピンにおける引張強度を向上させることができる。
本発明の請求項３における電子機器の端子構造によれば、端子ピンのバリエーションを容易に増やすことが可能になる。
【手続補正５】
【補正対象書類名】明細書
【補正対象項目名】図面の簡単な説明
【補正方法】変更
【補正の内容】
【図面の簡単な説明】
【図１】本発明の一実施例における電源装置の実装状態の側面図である。
【図２】同上放熱板を取り外した状態の電源装置の斜視図である。
【図３】同上端子ピンの正面図である。
【図４】同上別の端子ピンの正面図である。
【図５】同上端子ピンを装着した状態の端子台の要部斜視図である。
【図６】従来例を示す電子機器の要部側面図である。
【符号の説明】
６Ａ，６Ｂ  端子ピン
７  端子台
21  先端部
22  圧入部（嵌合部）
23  基端部
31  被圧入孔
【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】  健康状態を示すデータを管理する健康管理システムにおいて、
健康状態を示す計測値を計測する計測手段と、前記計測値を記憶媒体に格納する格納手段と、を有するデータ計測装置と、
前記記憶媒体から前記計測値と識別情報とを読み取る読み取り手段と、前記識別情報に対応する前記計測値を表示する表示手段と、を有する表示装置と、
健康状態を示す前記計測値を格納するデータベースを有するサーバと、
前記データ計測装置と、前記表示装置と、前記サーバとを接続する通信手段と、
を備えたことを特徴とする健康管理システム。
【請求項２】  健康状態を示すデータを格納するサーバにおいて、
健康状態を示す計測値と識別情報とをデータ計測装置から受信する受信手段と、
前記計測値を前記識別情報ごとに格納するデータベースと、
表示装置からの要求に応じて前記識別情報に対応する前記計測値の送信を行う送信手段と、
を有することを特徴とするサーバ。
【請求項３】  健康状態を示す計測機能を有するデータ計測装置において、
健康状態を示す計測値を計測する計測手段と、
前記計測値を記憶媒体に格納する格納手段と、
前記計測値を表示可能な情報として表示する表示手段と、
を有することを特徴とするデータ計測装置。
【請求項４】  前記データ計測装置は体重計であることを特徴とする請求項３記載のデータ計測装置。
【請求項５】  前記データ計測装置は体温計であることを特徴とする請求項３記載のデータ計測装置。
【請求項６】  前記データ計測装置は心拍計であることを特徴とする請求項３記載のデータ計測装置。
【請求項７】  前記データ計測装置は体脂肪計であることを特徴とする請求項３記載のデータ計測装置。
【請求項８】  前記格納手段は、前記記憶媒体に記憶された識別情報を用いた認証処理後に前記計測値を前記記憶媒体に格納するセキュリティ機能を有することを特徴とする請求項３記載のデータ計測装置。
【請求項９】  健康状態を示す情報を表示する表示装置において、
健康状態を示す計測値を格納した記憶媒体から前記計測値と識別情報とを読み取る読み取り手段と、
前記識別情報に対応する前記計測値を表示する表示手段と、
を有することを特徴とする表示装置。
【請求項１０】  前記読み取り手段は、前記識別情報を用いた認証処理後に前記計測値を前記記憶媒体から読み取るセキュリティ機能を有することを特徴とする請求項１０記載の表示装置。
【手続補正２】
【補正対象書類名】明細書
【補正対象項目名】０００６
【補正方法】変更
【補正の内容】
【０００６】
本発明の目的は、上記のような点に鑑みてなされたものであり、簡易に数値的な分析を行うことができる健康管理システム、データ計測装置、表示装置およびサーバを提供することを目的とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
【課題を解決するための手段】
本発明では上記課題を解決するために、健康状態を示すデータを管理する健康管理システムにおいて、健康状態を示す計測値を計測する計測手段と、計測値を記憶媒体に格納する格納手段と、を有するデータ計測装置と、前記記憶媒体から前記計測値と識別情報とを読み取る読み取り手段と、前記識別情報に対応する前記計測値を表示する表示手段と、を有する表示装置と、健康状態を示す計測値を格納したデータベースを有するサーバと、前記データ計測装置と、前記表示装置と、前記サーバとを接続する通信手段と、を備えたことを特徴とする健康管理システムが提供される。
【手続補正６】
【補正対象書類名】明細書
【補正対象項目名】００１０
【補正方法】変更
【補正の内容】
【００１０】
ここで、データ計測装置では、計測手段により計測された計測値が、格納手段により記憶媒体に格納される。表示装置では、読み取り手段により、記憶媒体から計測値と識別情報とが読み出され、表示手段により、計測値が表示される。サーバでは、データベースに計測値が格納される。このサーバは、通信手段により、データ計測装置および表示装置と接続されている。
【手続補正７】
【補正対象書類名】明細書
【補正対象項目名】０１０２
【補正方法】変更
【補正の内容】
【０１０２】
【発明の効果】
以上説明したように、本発明の健康管理システムによれば、健康状態を示す計測値を記憶媒体や通信手段を介してシステム内の機器で受け渡すことができるので、計測値を容易に分析することができる。
【手続補正８】
【補正対象書類名】明細書
【補正対象項目名】０１０３
【補正方法】削除
【補正の内容】
【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】
局所的なエリアにおいて情報を発信する情報発信システムであって、
情報利用者が携行する、局所的な無線通信により情報の書き込み及び読み出しが可能な記憶領域を備えた無線タグと、
発信したい情報を蓄積するとともに局所的な無線通信により前記無線タグの記憶領域に対して該発信したい情報を書き込む書き込み装置と、
局所的な無線通信により前記無線タグの記憶領域から情報を読み出す読み取り装置と、
を具備することを特徴とする情報発信システム。
【請求項２】
前記書き込み装置は、発信したい情報を書き換える手段を備える、
ことを特徴とする請求項１に記載の情報発信システム。
【請求項３】
前記読み取り装置は、前記無線タグの記憶領域から読み出した情報を前記無線タグを携行する情報利用者に提示する情報提示手段を備える、
ことを特徴とする請求項１に記載の情報発信システム。
【請求項４】
前記無線タグの記憶領域に対する情報の書き込み及び読み出しの双方を行うことができる読み書き装置をさらに備える、
ことを特徴とする請求項１に記載の情報発信システム。
【請求項５】
前記読み書き装置は、前記無線タグの記憶領域から情報を読み取るとともに、その読み取った情報の内容に応じてさらに情報を付加して再び前記無線タグの記憶領域への書き込みを行う、
ことを特徴とする請求項４に記載の情報発信システム。
【請求項６】
前記書き込み装置は、前記無線タグが無線通信可能な領域に突入したことに応答して、前記の発信したい情報を前記無線タグの記憶領域に自動的に書き込みを行う、
ことを特徴とする請求項１に記載の情報発信システム。
【請求項７】
前記書き込み装置は、前記無線タグの記憶領域に対する書き込みが終了したことを前記無線タグを携行する情報利用者に通知する手段を備える、
ことを特徴とする請求項１に記載の情報発信システム。
【請求項８】
前記読み取り装置は、前記無線タグが無線通信可能な領域に突入したことに応答して、前記無線タグの記憶領域から情報を自動的に読み出す、
ことを特徴とする請求項１に記載の情報発信システム。
【請求項９】
前記読み取り装置は、前記無線タグの記憶領域から自動的に読み出した情報を情報利用者に提示する、
ことを特徴とする請求項８に記載の情報発信システム。
【請求項１０】
前記読み取り装置は、前記無線タグの記憶領域から自動的に読み出した情報を外部機器に出力する、
ことを特徴とする請求項９に記載の情報発信システム。
【請求項１１】
情報利用者が携行する読み書き可能な記憶領域付きの無線タグを媒体として局所的なエリアにおける情報の発信を行う情報発信方法であって、
局所的な無線通信により前記無線タグの記憶領域に対して発信したい情報を書き込む書き込みステップと、
局所的な無線通信により前記無線タグの記憶領域から情報を読み出す読み出しステップと、
を具備することを特徴とする情報発信方法。
【請求項１２】
情報利用者が携行する読み書き可能な記憶領域付きの無線タグに対して発信したい情報を書き込む情報書き込み装置であって、
局所的なエリアにおいて無線タグと無線通信を行う無線送受信手段と、
発信したい情報を保持する情報記憶手段と、
無線タグの記憶領域に対して発信したい情報を書き込む書き込み制御手段と、
を具備することを特徴とする情報書き込み装置。
【請求項１３】
情報利用者が携行する読み書き可能な記憶領域付きの無線タグから情報を読み出す情報読み取り装置であって、
局所的なエリアにおいて無線タグと無線通信を行う無線送受信手段と、
無線タグの記憶領域から情報を読み出す読み出し制御手段と、
無線タグの記憶領域から情報を読み出された情報を該無線タグを携行する情報利用者に提示する情報提示手段と、
を具備することを特徴とする情報読み取り装置。
【請求項１４】
情報利用者が携行する読み書き可能な記憶領域付きの無線タグを媒体とした局所的なエリアにおける情報発信処理をコンピュータ・システム上で実行するように記述されたコンピュータ・ソフトウェアをコンピュータ可読形式で物理的に格納した記憶媒体であって、前記コンピュータ・ソフトウェアは、
局所的な無線通信により前記無線タグの記憶領域に対して発信したい情報を書き込む書き込みステップと、
局所的な無線通信により前記無線タグの記憶領域から情報を読み出す読み出しステップと、
前記読み出しステップにおいて前記無線タグの記憶領域から読み出された情報を前記無線タグを携行する情報利用者に提示する情報提示ステップと、
を具備することを特徴とする記憶媒体。
【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】  祖父母の口座から孫の口座に、年間の贈与枠の範囲内で、定期的に定額の贈与の金額を振り替える処理を行い、当該贈与の金額を投資信託で運用処理を行うメインフレームと、前記投資信託での運用状況をウェブサイトで提供するウェブサーバとを有する資産贈与システムであって、
前記メインフレームは、前記投資信託の現在の運用状況、過去の運用状況、将来の運用予測の情報、祖父母の資産状況に応じた祖父母向けの金融商品、親又は孫向けの金融商品の情報を前記ウェブサーバに提供し、
前記ウェブサーバは、祖父母ＰＣからのアクセスに対して祖父母専用のページを提供すると共に孫＆父ＰＣからのアクセスに対して孫＆父専用のページを提供し、
前記祖父母専用のページでは、前記メインフレームから提供された現在の運用状況、過去の運用状況、将来の運用予測の情報と、前記祖父母向けの金融商品の情報を提供すると共に、祖父母と孫＆父の交流のための共有の専用掲示板を提供して、祖父母の資産状況、年齢に応じた広告情報を提供し、
前記孫＆父専用のページでは、前記メインフレームから提供された現在の運用状況、過去の運用状況、将来の運用予測の情報と、前記親又は孫向けの金融商品の情報を提供すると共に、祖父母と孫＆父の交流のための共有の専用掲示板を提供して、親又は孫の年齢に応じた広告情報を提供することを特徴とする資産贈与システム。
【請求項２】  メインフレームで運用される投資信託は、海外株式が組み入れられた株式投資信託であることを特徴とする請求項１記載の資産贈与システム。
【請求項３】  ウェブサーバは、ウェブサイトで提供する広告情報を、年を重ねる祖父母、孫＆父の年齢に応じて選択して表示出力することを特徴とする請求項１又は２記載の資産贈与システム。
【請求項４】  ウェブサーバは、贈与を受ける孫の誕生日に孫＆父ＰＣにバースデーメールを送信することを特徴とする請求項１乃至３のいずれか記載の資産贈与システム。
【請求項５】  コンピュータで実行されるプログラムであって、請求項１乃至４の何れかに記載の資産贈与システムの機能をコンピュータに実行させることを特徴とするプログラム。
【手続補正２】
【補正対象書類名】明細書
【補正対象項目名】０００８
【補正方法】変更
【補正の内容】
【０００８】
【課題を解決するための手段】
本発明は、資産贈与システムにおいて、祖父母の口座から孫の口座に、年間の贈与枠の範囲内で、定期的に定額の贈与の金額を振り替える処理を行い、当該贈与の金額を投資信託で運用処理を行うメインフレームと、投資信託での運用状況をウェブサイトで提供するウェブサーバとを有し、メインフレームが、投資信託の現在の運用状況、過去の運用状況、将来の運用予測の情報、祖父母の資産状況に応じた祖父母向けの金融商品、親又は孫向けの金融商品の情報をウェブサーバに提供し、ウェブサーバが、祖父母ＰＣからのアクセスに対して祖父母専用のページを提供すると共に孫＆父ＰＣからのアクセスに対して孫＆父専用のページを提供し、祖父母専用のページでは、現在の運用状況、過去の運用状況、将来の運用予測の情報と、祖父母向けの金融商品の情報を提供すると共に、祖父母と孫＆父の交流のための共有の専用掲示板を提供して、祖父母の資産状況、年齢に応じた広告情報を提供し、孫＆父専用のページでは、現在の運用状況、過去の運用状況、将来の運用予測の情報と、親又は孫向けの金融商品の情報を提供すると共に、祖父母と孫＆父の交流のための共有の専用掲示板を提供して、親又は孫の年齢に応じた広告情報を提供するもので、贈与を行う側に投資先として投資信託に投資させ、同時に贈与を受ける側での資産継承を効率的に行うことができる。
また、投資信託を海外株式が組み入れられた株式投資信託にすれば、贈与を行う側に、世界株式への投資を容易に行わせることが可能である。
【手続補正３】
【補正対象書類名】明細書
【補正対象項目名】０００９
【補正方法】変更
【補正の内容】
【０００９】
本発明は、上記資産贈与システムにおいて、ウェブサーバが、ウェブサイトで提供する広告情報を、年を重ねる祖父母、孫＆父の年齢に応じて選択して表示出力し、更に、ウェブサーバが、贈与を受ける孫の誕生日に孫＆父ＰＣにバースデーメールを送信するようにしており、贈与を行う側と贈与を受ける側との間を、本システムを介して親密感を持たせることが可能である。
尚、上記本発明に係る資産贈与システムの機能をコンピュータに実行させるプログラムを用い、これをコンピュータで実行する構成としてもよい。
【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】
【請求項１】
注目している小領域とそれに隣接する小領域が、互いに同じ特徴をもっている場合に、それらを一つの領域に統合する処理を順次実行することにより、特徴が等しい領域を少しずつ成長させ、最終的に画像全体の領域分割を行う画像処理装置であって、
隣接画素間の相関演算を行い、隣接画素間に相関関係があるか否かを示す相関データを出力する相関演算手段と、
上記相関演算手段により出力された隣接画素の相関データが書き込まれる少なくとも一つのメモリセルと、
フラグノードを有し、セット信号を受けてまたは転送された相関があることを示すフラグデータを受けて上記フラグノードに当該フラグデータを保持可能で、かつ、上記フラグデータを外部の処理回路に出力可能なフラグセルと、
上記メモリセルに隣接画素間で、所定の相関関係があることを示す相関データが記憶されている場合に、上記フラグセルのフラグノードに対するフラグデータの転送経路を形成する少なくとも一つのデータ転送手段と
を含むメモリユニットを有する記憶装置と
を含む画像処理装置。
【請求項２】
上記フラグセルのフラグノードを所定のタイミングでリセットする手段
を有する請求項１記載の画像処理装置。
【請求項３】
上記相関データは、画像の空間方向の相関データを含む
請求項１記載の画像処理装置。
【請求項４】
上記相関データは、画像の時間方向の相関データを含み、
画像の時間方向の相関データを記憶するメモリセルと、当該メモリセルの記憶データに応じてフラグデータの転送経路の形成処理を行うデータ転送手段とを含む
請求項１記載の画像処理装置。
【請求項５】
上記相関データは、画像データの階層構造に対応する相関データを含む
請求項１記載の画像処理装置。
【請求項６】
上記データ転送手段は、上記メモリセルに隣接データ間で、所定の相関関係がないことを示す相関データが記憶されている場合に、上記フラグセルのフラグノードに対するフラグデータの転送経路を遮断状態に保持する
請求項１記載の画像処理装置。
【請求項７】
上記データ転送手段は、制御端子にメモリセルの記憶データを受けて、当該記憶データレベルに応じて導通状態が制御されるトランスファーゲートを含む
請求項１記載の画像処理装置。
【請求項８】
上記データ転送手段は、第１端子が上記フラグデータレベルに相当する電源電位側に接続され、第２端子が転送先ノード側に接続され、制御端子にメモリセルの記憶データを受けて当該記憶データレベルに応じて上記第１端子と第２端子間の導通状態が制御されるトランジスタを含む
請求項１記載の画像処理装置。
【請求項９】
上記フラグセルは、上記フラグノードのデータレベルを反転させるインバータを含み、
上記データ転送手段は、制御端子への入力データレベルに応じて第１端子と第２端子間の導通状態が制御される第１および第２のトランジスタを含み、上記第１および第２のトランジスタは上記フラグデータレベルに相当する電源電位と転送先ノード間に直列に接続され、
上記第１のトランジスタは、制御端子にメモリセルの記憶データを受けて当該記憶データレベルに応じて上記第１端子と第２端子間の導通状態が制御され、
上記第２のトランジスタは、上記インバータの出力データを受けて、当該データのレベルに応じて上記第１端子と第２端子間の導通状態が制御される
請求項１記載の画像処理装置。
【請求項１０】
上記データ転送手段は、第１端子が上記フラグデータレベルに相当する電源電位に接続され、第２端子が上記フラグセルのフラグノードに接続され、制御端子にメモリセルの記憶データを受けて当該記憶データレベルに応じて上記第１端子と第２端子間の導通状態が制御されるトランジスタを含む
請求項１記載の画像処理装置。
【請求項１１】
上記データ転送手段は、制御端子への入力データレベルに応じて第１端子と第２端子間の導通状態が制御される第１および第２のトランジスタを含み、上記第１および第２のトランジスタは上記フラグデータレベルに相当する電源電位と上記フラグセルのフラグノード間に直列に接続され、
上記第１のトランジスタは、制御端子にメモリセルの記憶データを受けて当該記憶データレベルに応じて上記第１端子と第２端子間の導通状態が制御され、
上記第２のトランジスタは、上記転送されるフラグデータの反転レベルのデータを受けた場合に上記第１端子と第２端子間が導通状態に制御される
請求項１記載の画像処理装置。
【請求項１２】
上記フラグセルは、上記フラグノードのデータレベルを反転するインバータを含み、
上記データ転送手段は、制御端子への入力データレベルに応じて第１端子と第２端子間の導通状態が制御される第１、第２、第３、および第４のトランジスタを含み、
上記第１および第２のトランジスタは上記フラグデータレベルに相当する電源電位と転送先ノード間に直列に接続され、
上記第１のトランジスタは、制御端子にメモリセルの記憶データを受けて当該記憶データレベルに応じて上記第１端子と第２端子間の導通状態が制御され、
上記第２のトランジスタは、上記インバータの出力データを受けて、当該データのレベルに応じて上記第１端子と第２端子間の導通状態が制御され、
上記第３および第４のトランジスタは上記フラグデータレベルに相当する電源電位と上記フラグセルのフラグノード間に直列に接続され、
上記第３のトランジスタは、制御端子にメモリセルの記憶データを受けて当該記憶データレベルに応じて上記第１端子と第２端子間の導通状態が制御され、
上記第４のトランジスタは、上記転送されるフラグデータの反転レベルのデータを受けた場合に上記第１端子と第２端子間が導通状態に制御される
請求項１記載の画像処理装置。
【手続補正書】
【提出日】平成20年9月1日(2008.9.1)
【手続補正１】
【補正対象書類名】明細書
【補正対象項目名】請求項５
【補正方法】変更
【補正の内容】
【請求項５】  入力操作機能を有すると共に、任意の情報を処理する一以上の情報処理装置と、
少なくとも上記情報処理装置から転送された情報に基づいて映像を表示する表示装置と、
上記情報処理装置からの入力操作指示に基づいて上記表示装置における表示処理を含むネットワーク情報処理を支援する情報処理支援装置と、
上記情報処理支援装置と上記情報処理装置とを接続する通信手段と、
上記情報処理装置から転送される情報以外の映像および音声を入力する動画・音声入力装置と、
上記情報処理装置および上記動画・音声入力装置から転送される情報を、上記情報処理装置からの指示にしたがって記録すると共に、これをネットワークを介して通信できるコンテンツとして再編成する情報作成装置とを備え、
この情報作成装置は、
動画・音声入力装置からの動画・音声情報と、複数の表示装置からの静止画情報をそれぞれ記録する情報記録手段と、
入力した複数の静止画情報についての属性情報をリスト化する再生管理リスト作成手段と、
上記再生管理リスト作成手段からの属性情報に基づいて上記複数の静止画情報を表示画面上に同時に表示できる表示パターンを選択しながら、上記動画・音声情報と静止画情報を再編成する編成手段と、
これら複数の手段を制御する制御手段とで構成されると共に、
上記情報記録手段に記録すべき静止画情報としては、
複数の表示装置に転送されたタイミングにこの表示装置に転送された静止画情報と、転送された上記静止画情報のうちキャプチャー指示があったときに上記表示装置に表示されている静止画情報であることを特徴とするネットワーク情報処理システム。
【手続補正２】
【補正対象書類名】明細書
【補正対象項目名】００１６
【補正方法】変更
【補正の内容】
【００１６】
さらに、請求項５に記載したこの発明に係るネットワーク情報処理システムでは、入力操作機能を有すると共に、任意の情報を処理する一以上の情報処理装置と、
少なくとも上記情報処理装置から転送された情報に基づいて映像を表示する表示装置と、
上記情報処理装置からの入力操作指示に基づいて上記表示装置における表示処理を含むネットワーク情報処理を支援する情報処理支援装置と、
上記情報処理支援装置と上記情報処理装置とを接続する通信手段と、
上記情報処理装置から転送される情報以外の映像および音声を入力する動画・音声入力装置と、
上記情報処理装置および上記動画・音声入力装置から転送される情報を、上記情報処理装置からの指示にしたがって記録すると共に、これをネットワークを介して通信できるコンテンツとして再編成する情報作成装置とを備え、
この情報作成装置は、
動画・音声入力装置からの動画・音声情報と、複数の表示装置からの静止画情報をそれぞれ記録する情報記録手段と、
入力した複数の静止画情報についての属性情報をリスト化する再生管理リスト作成手段と、
上記再生管理リスト作成手段からの属性情報に基づいて上記複数の静止画情報を表示画面上に同時に表示できる表示パターンを選択しながら、上記動画・音声情報と静止画情報を再編成する編成手段と、
これら複数の手段を制御する制御手段とで構成されると共に、
上記情報記録手段に記録すべき静止画情報としては、
複数の表示装置に転送されたタイミングにこの表示装置に転送された静止画情報と、転送された上記静止画情報のうちキャプチャー指示があったときに上記表示装置に表示されている静止画情報であることを特徴とする。
【手続補正３】
【補正対象書類名】明細書
【補正対象項目名】００２６
【補正方法】変更
【補正の内容】
【００２６】
クライアントＰＣ２によってコミュニケータ３が制御され、このコミュニケータ３を介してビデオプロジェクタ４の表示映像がコントロールされる。そのため、コミュニケータ３とプロジェクタ４との間はＲＧＢケーブルなどで接続されている。
【手続補正４】
【補正対象書類名】明細書
【補正対象項目名】００５２
【補正方法】変更
【補正の内容】
【００５２】
参加者画面には、参加者の顔写真、参加者が所有しているクライアントＰＣ２のプライベートＩＰアドレスなどが表示される。
【手続補正５】
【補正対象書類名】図面
【補正対象項目名】図４
【補正方法】変更
【補正の内容】
【図４】
2003085527.tif 000001
【手続補正６】
【補正対象書類名】図面
【補正対象項目名】図５
【補正方法】変更
【補正の内容】
【図５】
2003085527.tif 000002
【手続補正７】
【補正対象書類名】図面
【補正対象項目名】図６
【補正方法】変更
【補正の内容】
【図６】
2003085527.tif 000003
【手続補正８】
【補正対象書類名】図面
【補正対象項目名】図１１
【補正方法】変更
【補正の内容】
【図１１】
2003085527.tif 000004
【手続補正９】
【補正対象書類名】図面
【補正対象項目名】図１８
【補正方法】変更
【補正の内容】
【図１８】
2003085527.tif 000005
【手続補正１０】
【補正対象書類名】図面
【補正対象項目名】図１９
【補正方法】変更
【補正の内容】
【図１９】
2003085527.tif 000006
【手続補正１１】
【補正対象書類名】図面
【補正対象項目名】図２０
【補正方法】変更
【補正の内容】
【図２０】
2003085527.tif 000007
【手続補正書】
【提出日】平成20年8月11日(2008.8.11)
【手続補正１】
【補正対象書類名】明細書
【補正対象項目名】発明の名称
【補正方法】変更
【補正の内容】
【発明の名称】非接触通信カードの製造方法
【手続補正２】
【補正対象書類名】明細書
【補正対象項目名】特許請求の範囲
【補正方法】変更
【補正の内容】
【特許請求の範囲】
【請求項１】  第１の基材部の両側に折曲予定線を介して第２の基材部及び第３の基材部が連接される基材にチップ装着部を形成する基材加工工程と、
前記基材の前記チップ装着部に非接触ＩＣチップを配置するように、前記非接触ＩＣチップとアンテナ部を含む非接触通信ユニットを実装する非接触通信ユニット実装工程と、
前記基材を前記折曲予定線から３つ折りして、接着剤層を挟んで接着するシール工程と、
を備えた非接触通信カードの製造方法。
【請求項２】  請求項１に記載の非接触通信カードの製造方法において、
前記非接触通信ユニット実装工程は、
前記基材の前記チップ装着部の近傍に、導電性材料を含むインキによって、外部のリーダライタとの間で通信を行うアンテナ部を形成するアンテナ形成工程と、
前記非接触ＩＣチップが前記チップ装着部に挿入され、その非接触ＩＣチップが前記アンテナ部に接続されるように非接触ＩＣチップを実装するチップ実装工程と、
を含むこと、
を特徴とする非接触通信カードの製造方法。
【請求項３】  請求項１に記載の非接触通信カードの製造方法において、
前記非接触通信ユニット実装工程は、絶縁性のある基材フィルムに、前記非接触ＩＣチップと前記アンテナ部が形成されたコンポーネントフィルムを、前記第１から第３の基材部のいずれかに装着すること、
を特徴とする非接触通信カードの製造方法。
【手続補正３】
【補正対象書類名】明細書
【補正対象項目名】０００１
【補正方法】変更
【補正の内容】
【０００１】
【発明の属する技術分野】
本発明は、外部のリーダライタ（以下、「Ｒ／Ｗ」という。）と通信を行う非接触ＩＣカードなどの非接触通信カードの製造方法に関するものである。
【手続補正４】
【補正対象書類名】明細書
【補正対象項目名】０００８
【補正方法】変更
【補正の内容】
【０００８】
本発明の課題は、電子部品の損傷や水濡れを防ぎ、外観デザインの自由度が高く、しかも、安価に製造することができる非接触通信カードの製造方法を提供することである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
【課題を解決するための手段】
前記課題を解決するために、請求項１の発明は、第１の基材部の両側に折曲予定線を介して第２の基材部及び第３の基材部が連接される基材にチップ装着部を形成する基材加工工程と、前記基材の前記チップ装着部に非接触ＩＣチップを配置するように、前記非接触ＩＣチップとアンテナ部を含む非接触通信ユニットを実装する非接触通信ユニット実装工程と、前記基材を前記折曲予定線から３つ折りして、接着剤層を挟んで接着するシール工程と、を備えた非接触通信カードの製造方法である。
【手続補正１２】
【補正対象書類名】明細書
【補正対象項目名】００１６
【補正方法】変更
【補正の内容】
【００１６】
請求項２の発明は、請求項１に記載の非接触通信カードの製造方法において、前記非接触通信ユニット実装工程は、前記基材の前記チップ装着部の近傍に、導電性材料を含むインキによって、外部のリーダライタとの間で通信を行うアンテナ部を形成するアンテナ形成工程と、前記非接触ＩＣチップが前記チップ装着部に挿入され、その非接触ＩＣチップが前記アンテナ部に接続されるように非接触ＩＣチップを実装するチップ実装工程と、を含むこと、を特徴とする非接触通信カードの製造方法である。
【手続補正１３】
【補正対象書類名】明細書
【補正対象項目名】００１７
【補正方法】変更
【補正の内容】
【００１７】
請求項３の発明は、請求項１に記載の非接触通信カードの製造方法において、前記非接触通信ユニット実装工程は、絶縁性のある基材フィルムに、前記非接触ＩＣチップと前記アンテナ部が形成されたコンポーネントフィルムを、前記第１から第３の基材部のいずれかに装着すること、を特徴とする非接触通信カードの製造方法。
【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】    （ｉ）シェル（２２）と、（ｉｉ）該シェルの内部にあるポッティング材料（２６）であって、第１のコンデンサ（２８）及び第２のコンデンサ（３０）及び第１のコンデンサ（２８）と第２のコンデンサ（３０）とを電気的に接続するコネクタをカプセル封入するポッティング材料（２６）とを具備する部分放電解析継手装置であって、
上記コネクタが第１のコンデンサ（２８）と第２のコンデンサ（３０）との間の軸に沿って軸方向に自在にたわみ、第１のコンデンサ（２８）と第２のコンデンサ（３０）とが互いに離間するときに上記コネクタが第１のコンデンサ（２８）と第２のコンデンサ（３０）との間の軸に沿って軸方向に膨張し、第１のコンデンサ（２８）と第２のコンデンサ（３０）とが互いに接近するときに上記コネクタが第１のコンデンサ（２８）と第２のコンデンサ（３０）との間の軸に沿って軸方向に収縮する、装置。
【請求項２】  前記コネクタがホースクランプ（５０）である、請求項１記載の装置。
【請求項３】  前記コネクタがばね（７０）である、請求項１記載の装置。
【請求項４】  前記コネクタが「Ｏ」形（５０）、「＞」形（１００）、「Ｃ」形（８０）、「Ｓ」形又は「Ｚ」形（９０）のいずれかである請求項１記載の装置。
【請求項５】  前記コネクタが０でない曲率半径を有する第１の部分を含む、請求項１記載の装置。
【請求項６】  前記コネクタが円、楕円、円の一部又は楕円の一部である請求項５記載の装置。
【請求項７】  前記コネクタが、第１のコンデンサ（２８）と第２のコンデンサ（３０）との間の軸に関して第１の０でない角度で傾斜している第１の部分（１０２）を含む、請求項１記載の装置。
【請求項８】  前記コネクタが第１の部分（１０２）に関して第２の角度で傾斜している第２の部分（１０６）を含む、請求項７記載の装置。
【請求項９】  第１のコンデンサ（２８）及び第２のコンデンサ（３０）がセラミックコンデンサであり、前記コネクタが鋼ベルトである、請求項１記載の装置。
【請求項１０】  前記コネクタが、第１のコンデンサ（２８）と第２のコンデンサ（３０）とを電気的に接続する少なくとも１つの導電層（１１４）を支持する少なくとも１つの電気絶縁層（１１２）を含む、請求項１記載の装置。
【請求項１１】  前記コネクタが軸方向に自在にたわむ材料（１２０）から形成されている、請求項１記載の装置。
【請求項１２】  前記コネクタが、第２の部分（１３４）に関して摺動自在に装着された第１の部分（１３２）を含む、請求項１記載の装置。
【請求項１３】  前記コネクタが、第１のコンデンサ（２８）と第２のコンデンサ（３０）との直線的整列状態を調整するためのねじ（５６）又はクランプを更に含む、請求項１記載の装置。
【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】
液晶材料の層を囲む第一のセル壁及び第二のセル壁と、前記液晶材料の少なくとも幾らかに電場を加えるための電極と、液晶分子に所望の配列を付与するための、少なくとも前記第一のセル壁の内側表面上の表面配列構造とからなる液晶デバイスであって、
前記表面配列構造が、前記所望の配列を生成する形状及び／又は配向を有する特徴のランダムまたは疑似ランダムな二次元アレイからなる、液晶デバイス。
【請求項２】
前記特徴の幾何学的形状及び間隔が、前記液晶材料に局部的なプレーナー型又は傾斜プレーナー型の配列をとらせるようなものである、請求項１に記載のデバイス。
【請求項３】
前記第二のセル壁の内側表面が、前記液晶材料の局部的ホメオトロピック配列を生ずるように処理され、それにより前記セルがハイブリッド配列ネマチックモードで作用する、請求項２に記載のデバイス。
【請求項４】
前記第二のセル壁の内側表面が、前記第一のセル壁上の配列方向に対して実質的に直角をなして、前記液晶材料の局部的プレーナー型又は傾斜プレーナー型の配列を生ずるように処理され、それにより前記セルがＴＮまたはＳＴＮモードで作用する、請求項２に記載のデバイス。
【請求項５】
前記特徴の幾何学的形状及び間隔が、前記液晶材料に局部的なホメオトロピック配列をとらせるようなものである、請求項１に記載のデバイス。
【請求項６】
前記特徴が、単一の方位角方向において液晶ダイレクタの実質的に一様なプレーナー型又は傾斜プレーナー型の配列を生ずるように形成され及び／又は配向されている、請求項１に記載のデバイス。
【請求項７】
前記特徴が、複数の方位角方向において液晶ダイレクタの実質的に一様なプレーナー型又は傾斜プレーナー型の配列を生ずるように形成され及び／又は配向されている、請求項１に記載のデバイス。
【請求項８】
前記特徴が、前記第一のセル壁の平面の法線に対して傾斜しているポストからなる、請求項１に記載のデバイス。
【請求項９】
前記セル壁に設けられた検光子及び偏光子をさらに含む、請求項１に記載のデバイス。
【請求項１０】
前記特徴が、前記デバイスの異なる領域において異なる高さ、異なる形状、異なる傾斜、及び／又は異なる配向を有する、請求項１に記載のデバイス。
【請求項１１】
前記ポストの傾斜角及び配向が、前記デバイス全体にわたって一様である、請求項１に記載のデバイス。
【請求項１２】
請求項１による液晶デバイスの製造に使用するセル壁であって、壁と、その一方の表面上にあり液晶材料のダイレクタを整列させるための配列表面ミクロ構造とからなり、前記ミクロ構造が前記所望の配列を生成する形状及び／又は配向を有する特徴のランダムまたは疑似ランダムな二次元アレイからなる、セル壁。
【請求項１３】
請求項１２によるセル壁を製造する方法であって、壁の表面にフォトレジスト材料を適用し、適用されたフォトレジスト材料を、ランダムまたは疑似ランダムな二次元アレイパターンを有するマスクを通して適切な光源に露光し、未露光のフォトレジスト材料を除去し、露光されたフォトレジスト材料を硬化して、前記壁上に配列特徴のランダムまたは疑似ランダムな二次元アレイを形成することからなる方法。
【請求項１４】
請求項１２によるセル壁を製造する方法であって、壁の表面にプラスチック材料を適用し、このプラスチック材料に配列特徴のランダムまたは疑似ランダムな二次元アレイをエンボス加工することからなる方法。
【請求項１５】
請求項１による液晶デバイスを製造する方法であって、請求項１１による第一のセル壁を第二のセル壁に対して固着し、離間したセル壁を有しその内側表面の各々が少なくとも一つの電極構造を担持するセルを生成すべく、前記セル壁の少なくとも一方が電極構造を有するようにし、前記セルを液晶材料で充填し、前記セルをシールすることからなる方法。